(57)【要約】【課題】配信される画像データ量を少なく抑える。【解決手段】センサから送信されたセンサによって移動対象物が識別された識別情報と移動対象物を検出したセンサを識別するためのセンサ情報とがセンサ情報受信部１２１にて受信され、受信された識別情報とセンサ情報とに基づいて競技情報データベース１２３に格納された移動対象物を示す固有の情報と位置情報とを対応付けて配信データが配信データ生成部１２４にて生成されて携帯通信端末１０３へ送信され、送受信部１３１にて受信された配信データと記憶部１３２に予め格納された固定的な情報である固定画像情報とに基づいて画像データが画像処理部１３３にて生成され、生成された画像データが表示部１３５にて表示される。【選択図】図１
2007142925.tif 000002
【特許請求の範囲】
【請求項１】
所定の領域内における移動対象物の動画情報を提供する動画提供システムであって、
前記領域内において前記移動対象物を検出するセンサと、
前記センサにて検出された前記移動対象物を示す対象物情報と、前記センサにて前記移動対象物が検出された位置を示す位置情報とを配信するサーバと、
前記サーバから配信されてきた前記対象物情報及び前記位置情報と、該対象物情報に対応づけられた対象物画像情報と、前記領域内における固定画像情報とを用いて動画データを生成し、表示出力する端末とを有する動画提供システム。
【請求項２】
請求項１に記載の動画提供システムにおいて、
前記サーバは、前記対象物情報を特定可能な第１の識別情報を該対象物情報と対応づけて管理するとともに、前記位置情報を特定可能な第２の識別情報を該位置情報と対応づけて管理し、前記センサから前記第１の識別情報と前記第２の識別情報とが与えられた場合、前記第１の識別情報によって特定される前記対象物情報と、前記第２の識別情報によって特定される前記位置情報とを配信することを特徴とする動画提供システム。
【請求項３】
請求項１または請求項２に記載の動画提供システムにおいて、
前記端末は、１つの対象物情報に対応づけて前記対象物画像情報を複数有し、前記サーバから前記対象物情報が配信されてきた場合、該対象物情報に対応づけられた対象物画像情報のうち指定された対象物画像情報を用いて前記動画データを生成することを特徴とする動画提供システム。
【請求項４】
請求項１に記載の動画提供システムにおいて、
前記サーバは、
前記センサにて検出された情報を受信するセンサ情報受信手段と、
前記対象物情報と前記位置情報とを用いて前記端末へ配信する配信データを生成する配信データ生成手段を有し、
前記端末は、
前記対象物情報と前記対象物画像情報とを対応付けて管理するとともに、前記固定画像情報を管理する記憶手段と、
前記位置情報と前記対象物画像情報と前記固定画像情報とを用いて前記動画データを生成する画像処理手段と、
前記動画データを表示する表示手段とを有することを特徴とする動画提供システム。
【請求項５】
請求項２に記載の動画提供システムにおいて、
前記サーバは、
前記センサにて検出された情報を受信するセンサ情報受信手段と、
前記第１の識別情報と前記対象物情報とを対応付けて管理するとともに、前記第２の識別情報と前記位置情報とを対応付けて管理するデータベースと、
前記対象物情報と前記位置情報とを用いて前記端末へ配信する配信データを生成する配信データ生成手段を有し、
前記端末は、
前記対象物情報と前記対象物画像情報とを対応付けて管理するとともに、前記固定画像情報を管理する記憶手段と、
前記位置情報と前記対象物画像情報と前記固定画像情報とを用いて前記動画データを生成する画像処理手段と、
前記動画データを表示する表示手段とを有することを特徴とする動画提供システム。
【請求項６】
請求項１乃至５のいずれか１項に記載の動画提供システムにおいて、
前記センサは、複数の受信アンテナを有するＩＣタグリーダであることを特徴とする動画提供システム。
【請求項７】
請求項２または請求項５に記載の動画提供システムにおいて、
前記センサは、複数のアンテナを有するＩＣタグリーダであり、
前記第１の識別情報は、前記移動対象物に装着されたＩＣタグが有する固有の情報であり、
前記第２の識別情報は、前記アンテナが有する固有の情報であることを特徴とする動画提供システム。
【請求項８】
画像を表示する端末へインターネットを介して、センサによって検出された移動対象物の動画情報を生成するための動画生成情報を配信するサーバであって、
前記センサにて検出された前記移動対象物を示す対象物情報と、前記センサにて前記移動対象物が検出された位置を示す位置情報とを前記端末へ配信するサーバ。
【請求項９】
請求項８に記載のサーバにおいて、
前記対象物情報を特定可能な第１の識別情報を該対象物情報と対応づけて管理するとともに、前記位置情報を特定可能な第２の識別情報を該位置情報と対応づけて管理し、前記センサから前記第１の識別情報と前記第２の識別情報とが与えられた場合、前記第１の識別情報によって特定される前記対象物情報と、前記第２の識別情報によって特定される前記位置情報とを配信することを特徴とするサーバ。
【請求項１０】
請求項８に記載のサーバにおいて、
前記センサにて検出された情報を受信するセンサ情報受信手段と、
前記対象物情報と前記位置情報とを用いて前記端末へ配信する配信データを生成する配信データ生成手段を有することを特徴とするサーバ。
【請求項１１】
請求項９に記載のサーバにおいて、
前記センサにて検出された情報を受信するセンサ情報受信手段と、
前記第１の識別情報と前記対象物情報とを対応付けて管理するとともに、前記第２の識別情報と前記位置情報とを対応付けて管理するデータベースと、
前記対象物情報と前記位置情報とを用いて前記端末へ配信する配信データを生成する配信データ生成手段を有することを特徴とするサーバ。
【請求項１２】
請求項９または請求項１１に記載のサーバにおいて、
前記第１の識別情報は、前記移動対象物に装着されたＩＣタグが有する固有の情報であり、
前記第２の識別情報は、前記ＩＣタグに書き込まれた情報を読み取るＩＣタグリーダが有するアンテナが有する固有の情報であることを特徴とするサーバ。
【請求項１３】
インターネットを介して、サーバから送信された所定の領域内における移動対象物の対象物情報と位置情報とに基づいて画像を表示する端末であって、
前記サーバから配信されてきた前記対象物情報及び前記位置情報と、該対象物情報に対応づけられた対象物画像情報と、前記領域内における固定画像情報とを用いて動画データを生成し、表示出力する端末。
【請求項１４】
請求項１３に記載の端末において、
１つの対象物情報に対応づけて前記対象物画像情報を複数有し、前記サーバから前記対象物情報が配信されてきた場合、該対象物情報に対応づけられた対象物画像情報のうち指定された対象物画像情報を用いて前記動画データを生成することを特徴とする端末。
【請求項１５】
請求項１３または請求項１４に記載の端末において、
前記対象物情報と前記対象物画像情報とを対応付けて管理するとともに、前記固定画像情報を管理する記憶手段と、
前記位置情報と前記対象物画像情報と前記固定画像情報とを用いて前記動画データを生成する画像処理手段と、
前記動画データを表示する表示手段とを有することを特徴とする端末。
【請求項１６】
配信する動画の移動対象物を検出するセンサ及びデータベースを有し、前記センサによって検出された移動対象物の動画情報を生成するための動画生成情報を配信するサーバと、該サーバとインターネットを介して接続された端末とを有する動画提供システムにおける動画提供方法であって、
前記サーバにて、前記センサにて検出された前記移動対象物を示す対象物情報と、前記センサにて前記移動対象物が検出された位置を示す位置情報とを配信する処理と、
前記端末にて、前記サーバから配信されてきた前記対象物情報及び前記位置情報と、該対象物情報に対応づけられた対象物画像情報と、前記領域内における固定画像情報とを用いて動画データを生成する処理と、
前記動画データを表示出力する処理とを有する動画提供方法。
【請求項１７】
請求項１６に記載の動画提供方法において、
前記サーバにて、前記対象物情報を特定可能な第１の識別情報を該対象物情報と対応づけて管理する処理と、
前記位置情報を特定可能な第２の識別情報を該位置情報と対応づけて管理する処理と、
前記センサから前記第１の識別情報と前記第２の識別情報とが与えられた場合、前記第１の識別情報によって特定される前記対象物情報と、前記第２の識別情報によって特定される前記位置情報とを配信する処理とを有することを特徴とする動画提供方法。
【請求項１８】
請求項１６または請求項１７に記載の動画提供方法において、
前記端末にて、１つの対象物情報に対応づけて前記対象物画像情報を複数有し、前記サーバから前記対象物情報が配信されてきた場合、該対象物情報に対応づけられた対象物画像情報のうち指定された対象物画像情報を用いて前記動画データを生成する処理を有することを特徴とする動画提供方法。
【請求項１９】
コンピュータに、
前記コンピュータにて受信された配信データと前記コンピュータに予め格納された固定的な情報である固定画像情報とに基づいて動画データを生成する手順と、
前記動画データを前記コンピュータにて表示する手順とを実行させるためのプログラム。
【発明の詳細な説明】
【技術分野】
【０００１】
本発明は、インターネット等のネットワークを介して動画を配信する動画提供システム、サーバ及び画像提供方法並びに配信された動画を表示するための端末及びプログラムに関する。
【背景技術】
【０００２】
近年、携帯通信端末にてスポーツ等のテレビ放送を観戦することを可能とするために、テレビ放送の地上波アナログ信号やデジタル信号の電波を受信するための専用のチューナが開発され、この専用のチューナを携帯通信端末に搭載することにより、ユーザが任意の場所にて携帯通信端末を用いてテレビ放送を視聴することが可能となっている。
【０００３】
また、インターネットプロバイダが有するサーバに蓄積されているテレビ放送等の動画データが、インターネットを介して携帯通信端末に配信されることにより、携帯通信端末にてテレビ放送を視聴することが可能となっている。
【０００４】
また、動画データとして、ある人物の動きをインターネットを介して配信するために、人物の関節等の各部位にそれぞれ加速度センサを装着し、その加速度センサによって認識された人物の動きの情報を配信する方法が考えられている（例えば、特許文献１参照。）。
【特許文献１】特開２００２−０２４５７１号公報
【発明の開示】
【発明が解決しようとする課題】
【０００５】
しかしながら、上述した専用のチューナが搭載された携帯通信端末は、コスト面から考えても高額になってしまい、また、携帯通信端末のサイズが、搭載されたチューナの大きさの分、大きくなってしまうという問題点がある。
【０００６】
また、インターネットプロバイダが有するサーバに蓄積されているテレビ放送等の動画データをインターネットを介して携帯通信端末に配信する方法においては、配信されるデータ容量がかなり大きくなってしまい、これによりネットワーク上の帯域をかなり占有してしまうという問題点がある。
【０００７】
さらに、携帯通信端末の表示画面は２インチ程度で小さく、その小さな画面に表示された動画データは、細かい情報まで読み取ることが困難であるため、読み取ることが困難な細かい情報をインターネットを介して配信しても、配信された情報はあまり意味の無い情報となってしまい、意味の無い情報の配信によって、ネットワーク上の有意義な情報の配信のために使用できる帯域が狭くなってしまうという問題点がある。
【０００８】
また、特許文献１に記載された方法においては、対象となる人の細かい動きまでもを配信するものであるため、その対象の人の体に多くのセンサを装着しなければならないという問題点がある。
【０００９】
本発明は、上述したような従来の技術が有する問題点に鑑みてなされたものであって、配信される画像データ量を少なく抑えることができる動画提供システム、サーバ、端末、画像提供方法及びプログラムを提供することを目的とする。
【課題を解決するための手段】
【００１０】
上記目的を達成するために本発明は、
所定の領域内における移動対象物の動画情報を提供する動画提供システムであって、
前記領域内において前記移動対象物を検出するセンサと、
前記センサにて検出された前記移動対象物を示す対象物情報と、前記センサにて前記移動対象物が検出された位置を示す位置情報とを配信するサーバと、
前記サーバから配信されてきた前記対象物情報及び前記位置情報と、該対象物情報に対応づけられた対象物画像情報と、前記領域内における固定画像情報とを用いて動画データを生成し、表示出力する端末とを有する。
【００１１】
また、前記サーバは、前記対象物情報を特定可能な第１の識別情報を該対象物情報と対応づけて管理するとともに、前記位置情報を特定可能な第２の識別情報を該位置情報と対応づけて管理し、前記センサから前記第１の識別情報と前記第２の識別情報とが与えられた場合、前記第１の識別情報によって特定される前記対象物情報と、前記第２の識別情報によって特定される前記位置情報とを配信することを特徴とする。
【００１２】
また、前記端末は、１つの対象物情報に対応づけて前記対象物画像情報を複数有し、前記サーバから前記対象物情報が配信されてきた場合、該対象物情報に対応づけられた対象物画像情報のうち指定された対象物画像情報を用いて前記動画データを生成することを特徴とする。
【００１３】
また、前記サーバは、
前記センサにて検出された情報を受信するセンサ情報受信手段と、
前記対象物情報と前記位置情報とを用いて前記端末へ配信する配信データを生成する配信データ生成手段を有し、
前記端末は、
前記対象物情報と前記対象物画像情報とを対応付けて管理するとともに、前記固定画像情報を管理する記憶手段と、
前記位置情報と前記対象物画像情報と前記固定画像情報とを用いて前記動画データを生成する画像処理手段と、
前記動画データを表示する表示手段とを有することを特徴とする。
【００１４】
また、前記サーバは、
前記センサにて検出された情報を受信するセンサ情報受信手段と、
前記第１の識別情報と前記対象物情報とを対応付けて管理するとともに、前記第２の識別情報と前記位置情報とを対応付けて管理するデータベースと、
前記対象物情報と前記位置情報とを用いて前記端末へ配信する配信データを生成する配信データ生成手段を有し、
前記端末は、
前記対象物情報と前記対象物画像情報とを対応付けて管理するとともに、前記固定画像情報を管理する記憶手段と、
前記位置情報と前記対象物画像情報と前記固定画像情報とを用いて前記動画データを生成する画像処理手段と、
前記動画データを表示する表示手段とを有することを特徴とする。
【００１５】
また、前記センサは、複数の受信アンテナを有するＩＣタグリーダであることを特徴とする。
【００１６】
また、前記センサは、複数のアンテナを有するＩＣタグリーダであり、
前記第１の識別情報は、前記移動対象物に装着されたＩＣタグが有する固有の情報であり、
前記第２の識別情報は、前記アンテナが有する固有の情報であることを特徴とする。
【００１７】
また、画像を表示する端末へインターネットを介してセンサによって検出された移動対象物の動画情報を配信するサーバであって、
前記センサにて検出された前記移動対象物を示す対象物情報と、前記センサにて前記移動対象物が検出された位置を示す位置情報とを前記端末へ配信する。
【００１８】
また、前記対象物情報を特定可能な第１の識別情報を該対象物情報と対応づけて管理するとともに、前記位置情報を特定可能な第２の識別情報を該位置情報と対応づけて管理し、前記センサから前記第１の識別情報と前記第２の識別情報とが与えられた場合、前記第１の識別情報によって特定される前記対象物情報と、前記第２の識別情報によって特定される前記位置情報とを配信することを特徴とする。
【００１９】
また、前記センサにて検出された情報を受信するセンサ情報受信手段と、
前記対象物情報と前記位置情報とを用いて前記端末へ配信する配信データを生成する配信データ生成手段を有することを特徴とする。
【００２０】
また、前記センサにて検出された情報を受信するセンサ情報受信手段と、
前記第１の識別情報と前記対象物情報とを対応付けて管理するとともに、前記第２の識別情報と前記位置情報とを対応付けて管理するデータベースと、
前記対象物情報と前記位置情報とを用いて前記端末へ配信する配信データを生成する配信データ生成手段を有することを特徴とする。
【００２１】
また、前記第１の識別情報は、前記移動対象物に装着されたＩＣタグが有する固有の情報であり、
前記第２の識別情報は、前記ＩＣタグに書き込まれた情報を読み取るＩＣタグリーダが有するアンテナが有する固有の情報であることを特徴とする。
【００２２】
また、インターネットを介してサーバから送信された所定の領域内における移動対象物の対象物情報と位置情報とに基づいて画像を表示する端末であって、
前記サーバから配信されてきた前記対象物情報及び前記位置情報と、該対象物情報に対応づけられた対象物画像情報と、前記領域内における固定画像情報とを用いて動画データを生成し、表示出力する。
【００２３】
また、１つの対象物情報に対応づけて前記対象物画像情報を複数有し、前記サーバから前記対象物情報が配信されてきた場合、該対象物情報に対応づけられた対象物画像情報のうち指定された対象物画像情報を用いて前記動画データを生成することを特徴とする。
【００２４】
また、前記対象物情報と前記対象物画像情報とを対応付けて管理するとともに、前記固定画像情報を管理する記憶手段と、
前記位置情報と前記対象物画像情報と前記固定画像情報とを用いて前記動画データを生成する画像処理手段と、
前記動画データを表示する表示手段とを有することを特徴とする。
【００２５】
また、配信する動画の移動対象物を検出するセンサ及びデータベースを有し、前記センサによって検出された移動対象物の動画情報を配信するサーバと、該サーバとインターネットを介して接続された端末とを有する動画提供システムにおける動画提供方法であって、
前記サーバにて、前記センサにて検出された前記移動対象物を示す対象物情報と、前記センサにて前記移動対象物が検出された位置を示す位置情報とを配信する処理と、
前記端末にて、前記サーバから配信されてきた前記対象物情報及び前記位置情報と、該対象物情報に対応づけられた対象物画像情報と、前記領域内における固定画像情報とを用いて動画データを生成する処理と、
前記動画データを表示出力する処理とを有する。
【００２６】
また、前記サーバにて、前記対象物情報を特定可能な第１の識別情報を該対象物情報と対応づけて管理する処理と、
前記位置情報を特定可能な第２の識別情報を該位置情報と対応づけて管理する処理と、
前記センサから前記第１の識別情報と前記第２の識別情報とが与えられた場合、前記第１の識別情報によって特定される前記対象物情報と、前記第２の識別情報によって特定される前記位置情報とを配信する処理とを有することを特徴とする。
【００２７】
また、前記端末にて、１つの対象物情報に対応づけて前記対象物画像情報を複数有し、前記サーバから前記対象物情報が配信されてきた場合、該対象物情報に対応づけられた対象物画像情報のうち指定された対象物画像情報を用いて前記動画データを生成する処理を有することを特徴とする。
【００２８】
上記のように構成された本発明においては、センサによって所定の領域内において移動対象物が検出され、検出された移動対象物を示す対象物情報と、センサにて移動対象物が検出された位置を示す位置情報とがサーバから配信され、サーバから配信されてきた移動対象物の位置情報と、対象物情報に対応付けられた対象物画像情報と、領域内における固定画像情報とを用いて端末にて動画データが生成され、生成された動画データが端末にて表示出力される。
【００２９】
これにより、対象物の移動の情報のみが配信され、携帯通信端末の小さな表示画面では表示されても認識し辛い細かな動作については配信されないため、携帯通信端末に必要な最低限の画面表示となり、余分なデータの送信によるネットワーク上の帯域の使用を抑えることができる。
【発明の効果】
【００３０】
以上説明したように本発明においては、センサによって所定の領域内において移動対象物を検出し、検出された移動対象物を示す対象物情報と、センサにて移動対象物が検出された位置を示す位置情報とをサーバから配信し、サーバから配信されてきた移動対象物の位置情報と、対象物情報に対応付けられた対象物画像情報と、領域内における固定画像情報とを用いて端末にて動画データを生成し、生成された動画データを端末にて表示出力する構成としたため、配信される画像データ量を少なく抑えることができる。
【発明を実施するための最良の形態】
【００３１】
以下に、本発明の実施の形態について図面を参照して説明する。
【００３２】
図１は、本発明の動画提供システムの実施の一形態を示す図である。
【００３３】
本形態は図１に示すように、画像配信サーバ１０２と、携帯通信端末１０３とがインターネット１０１を介して接続されており、また、配信する画像の対象物が存在する競技場等には、所定の領域内を移動する動画の対象である移動対象物を検出するためのセンサ１０４と、その競技場等の音声を集めるマイク１０５とが設置されており、センサ１０４及びマイク１０５が画像配信サーバ１０２に接続されて構成されている。画像配信サーバ１０２は、センサ１０４によって検出された情報に基づいて配信データを生成し、生成された配信データをインターネット１０１を介して携帯通信端末１０３へ配信する。携帯通信端末１０３は、画像配信サーバ１０２から配信された配信データを受信し、受信された配信データに基づいて動画を表示する。
【００３４】
画像配信サーバ１０２は、センサ情報受信部１２１と、音声情報受信部１２２と、情報データベース１２３と、配信データ生成部１２４と、認証部１２５とから構成されている。センサ情報受信部１２１は、センサ１０４によって検出された情報を受信する。音声情報受信部１２２は、マイク１０５によって集められた音声情報を受信する。情報データベース１２３は、競技場や競技者及び動画提供のサービスを受けることができるユーザの情報を格納する。配信データ生成部１２４は、センサ情報受信部１２１にて受信された情報と音声情報受信部１２２にて受信された情報と情報データベース１２３に格納された情報とからインターネット１０１を介して携帯通信端末１０３へ配信する配信データを生成する。認証部１２５は、携帯通信端末１０３の認証を行う。
【００３５】
また、携帯通信端末１０３は、送受信部１３１と、記憶部１３２と、画像処理部１３３と、操作部１３４と、表示部１３５と、音声出力部１３６とから構成されている。送受信部１３１は、画像配信サーバ１０２からインターネット１０１を介して送信された配信データや音声データを受信する。記憶部１３２は、携帯通信端末１０３にて処理を行うプログラムや競技場等の情報を格納する。画像処理部１３３は、記憶部１３２に格納されているプログラムによって動作し、送受信部１３１にて受信された配信データと記憶部１３２に格納されている競技場等の情報とに基づいて画像データを生成する。操作部１３４は、画像処理部１３３によって生成された画像データをどのように表示するかを外部から操作する。表示部１３５は、画像処理部１３３によって生成された画像データを操作部１３４の操作によって表示する。音声出力部１３６は、送受信部１３１にて受信された音声データを出力する。
【００３６】
以下に、図１に示した形態が、サッカーの試合の動画を配信するために使用される場合を例に挙げて説明する。ここでは、センサ１０４としてＩＣタグリーダが使用される場合を例に挙げる。
【００３７】
図２は、ＩＣタグリーダが使用された場合の図１に示したセンサ１０４の構成を示す図である。
【００３８】
図２に示すように図１に示したセンサ１０４は、ＩＣタグリーダ１４１と、複数のアンテナ１４２−１〜１４１−ｎとから構成されている。アンテナ１４２−１〜１４２−ｎは、競技場に埋め込まれている。ＩＣタグリーダ１４１は、アンテナ１４２−１〜１４２−ｎに接続されており、アンテナ１４２−１〜１４２−ｎを介してサッカーの試合を行っている選手やボールを検出し、検出した選手やボールの情報を読み取り、読み取られた情報を画像配信サーバ１０２へ送信する。
【００３９】
図３は、動画として配信されるサッカーの試合が行われる競技フィールドに取り付けられたアンテナ１４２−１〜１４２−ｎと、選手及びボールに取り付けられたＩＣタグとを示す図である。
【００４０】
図３に示すように、サッカーの競技フィールド２０１は、ゴールラインと平行に１〜８、さらにタッチラインと平行にＡ〜Ｄの複数の同じ大きさのエリアに分けられ、各エリアの中央にはアンテナ１４２−１〜１４２−ｎが埋め込まれている。埋め込まれているアンテナ１４２−１〜１４２−ｎは、図２に示したＩＣタグリーダ１４１に接続されている。また、同じ大きさに分けられた各エリアの大きさは、ＩＣタグリーダ１４１がアンテナ１４２−１〜１４２−ｎを介してＩＣタグをそれぞれ検出可能な範囲である。また、選手２０３−１〜２０３−ｍにはＩＣタグ２０４−１〜２０４−ｍがそれぞれ装着されている。ＩＣタグ２０４−１〜２０４−ｍの装着位置については、選手２０３−１〜２０３−ｍが着用しているユニホームでも良いし、選手２０３−１〜２０３−ｍが履いているシューズでも良く、選手２０３−１〜２０３−ｍが試合中に身に着けているものであれば良い。また、試合中に使用されるボール２０５にもＩＣタグ２０６が付けられている。
【００４１】
図４は、図３に示した競技フィールド２０１におけるアンテナ１４２−１，１４２−２を介してＩＣタグリーダ１４１がＩＣタグ２０４−１〜２０４−ｍ，２０６を検出できる範囲を示す図である。
【００４２】
図４に示すように、アンテナ１４２−１を介してＩＣタグリーダ１４１がＩＣタグ２０４−１〜２０４−ｍ，２０６を検出できる検出範囲３０１−１と、アンテナ１４２−２を介してＩＣタグリーダ１４１がＩＣタグ２０４−１〜２０４−ｍ，２０６を検出できる検出範囲３０１−２とは、斜線で示すように重複する部分ができ、且つどちらのアンテナ１４２−１，１４２−２を介してもＩＣタグリーダ１４１がＩＣタグ２０４−１〜２０４−ｍ，２０６を検出できない部分が無いようにアンテナ１４２−１，１４２−２が配置される。アンテナ１４２−１，１４２−２の双方を介してＩＣタグリーダ１４１によってＩＣタグ２０４−１〜２０４−ｍ，２０６が同時に検出された場合は、ＩＣタグ２０４−１〜２０４−ｍ，２０６が装着された選手２０３−１〜２０３−ｍまたはボール２０５が、図４の斜線で示した部分に存在すると判断される。なお、アンテナ１４２−３〜１４２−ｎについても同様である。
【００４３】
図５は、図２に示したサッカーの試合の動画を配信する場合の図１に示した情報データベース１２３の構成例を示す図である。
【００４４】
図１に示した情報データベース１２３には図３に示すように、フィールド情報１２３１と、競技者情報１２３２と、固定画像情報１２３３と、ユーザ情報１２３４とが格納されている。フィールド情報１２３１は、選手２０３−１〜２０３−ｍ及びボール２０５の動画の移動対象物を検出したアンテナ１４２−１〜１４２−ｎを識別するための第２の識別情報である固有のアンテナ番号と、当該移動対象物が検出された位置を示す位置情報であるアンテナ１４２−１〜１４２−ｎが埋め込まれている位置情報とがそれぞれ対応付けられて格納されている情報である。
【００４５】
埋め込まれている位置情報とは、図３に示したように競技フィールド２０１のゴールラインと平行に１〜８に分け、さらにタッチラインと平行にＡ〜Ｄに分け、それらを使って座標として表したものである。例えば図３に示すように、アンテナ１４２−１が埋め込まれている位置情報はＡ−１であり、また、アンテナ１４２−２が埋め込まれている位置情報はＡ−２であり、また、アンテナ１４２−ｎが埋め込まれている位置情報はＤ−８である。
【００４６】
また、競技者情報１２３２は、選手２０３−１〜２０３−ｍ及びボール２０５に装着されている第１の識別情報であるＩＣタグ２０４−１〜２０４−ｍ，２０６の固有の番号と、それらが装着されている移動対象物を示す対象物情報である固有の情報とがそれぞれ対応付けられて格納されている情報である。ここで対象物情報とは、選手２０３−１〜２０３−ｍの名前やボール２０５に付与された固有の番号であっても良い。ここでは、選手２０３−１にはＩＣタグ２０４−１が、また、選手２０３−２にはＩＣタグ２０４−２が、また、選手２０３−ｍにはＩＣタグ２０４−ｍが、またボール２０５にはＩＣタグ２０６がそれぞれ装着されていることが対応付けからわかる。
【００４７】
また、固定画像情報１２３３は、競技場において動画として配信しない画像、つまり観客スタンドの背景や競技フィールド２０１自体の画像、競技フィールド２０１がどのように分けられているかというフィールド情報、選手の情報等の固定的な情報である。選手の情報とは、この試合にエントリーされている選手名や選手の固有の情報であり、上述した競技者情報１２３２の中の対象物情報のうち、選手の情報がコピーされて格納されてもあっても良い。
【００４８】
ユーザ情報１２３４は、この動画提供のサービスを受けることができるユーザの情報であり、ユーザそれぞれのユーザＩＤとパスワードとが対応付けられて格納されている。
【００４９】
以下に、上記のように構成された動画提供システムにおける動画提供方法について説明する。
【００５０】
図６は、図２に示した競技フィールド２０１にて図１に示した動画提供システムが適用された場合における動画提供方法を説明するためのシーケンス図である。
【００５１】
まず最初に、携帯通信端末１０３の認証処理が行われる。これは、予め登録されたユーザ以外はこの配信サービスを受けることができないようにすることにより、不特定多数のユーザへの配信データによるネットワークの高負荷を避けるためである。試合前の設定された期間に登録されたユーザのみが動画提供サービスを受けることができるように登録できる期間を限定しても良い。また、予め登録されたユーザから登録料を徴収することにより、それが１つのビジネスモデルとなる。
【００５２】
携帯通信端末１０３を所持するユーザによって画像配信サーバ１０２へ接続するために、操作部１３４を操作してユーザＩＤ及びパスワードが入力されると、入力されたユーザＩＤ及びパスワードが認証要求となって送受信部１３１から送信される（ステップＳ１）。
【００５３】
携帯通信端末１０３から送信された認証要求は、インターネット１０１を介して画像配信サーバ１０２にて受信される（ステップＳ２）。
【００５４】
そして、受信されたユーザＩＤ及びパスワードと情報データベース１２３に格納されているユーザ情報のユーザＩＤ及びパスワードとが認証部１２５にて比較されることにより、認証処理が行われる（ステップＳ３）。
【００５５】
認証部１２５にて認証処理が行われると、動画提供が可能かどうかの認証結果が画像配信サーバ１０２から携帯通信端末１０３へ送信される（ステップＳ４）。
【００５６】
画像配信サーバ１０２から送信された認証結果は、インターネット１０１を介して携帯通信端末１０３の送受信部１３１にて受信される（ステップＳ５）。
【００５７】
認証結果が動画提供が可能であった後、ユーザが携帯通信端末１０３の操作部１３４を操作してサッカーの試合の配信要求を入力すると、入力された配信要求が送受信部１３１から送信され（ステップＳ６）、インターネット１０１を介して画像配信サーバ１０２にて受信される（ステップＳ７）。
【００５８】
そして、情報データベース１２３に格納されている固定画像情報１２３３が読み出され、インターネット１０１を介して携帯通信端末１０３へ送信される（ステップＳ８）。
【００５９】
携帯通信端末１０３にて固定画像情報が受信されると（ステップＳ９）、受信された固定画像情報は記憶部１３２に格納される（ステップＳ１０）。
【００６０】
ここで、表示部１３５に表示される選手やボールについては、実際に試合を行っている選手２０３−１〜２０３−ｍや試合に使われているボール２０５が表示される必要は無く、記憶部１３２に予め格納されたアニメの３Ｄキャラクターや選手２０３−１〜２０３−ｍの似顔絵等が表示されるものであっても良い。この場合、３Ｄキャラクターや選手２０３−１〜２０３−ｍの似顔絵等を、情報データベース１２３や他のサイトから記憶部１３２に予めダウンロードしておく必要がある。記憶部１３２にダウンロードされた３Ｄキャラクターや選手２０３−１〜２０３−ｍの似顔絵等が操作部１３４によって選択されて表示部１３５に表示されても良い。
【００６１】
選手がどのように表示されるのかが選択できる画面が表示部１３５に表示され、ユーザによって操作部１３４が操作されると、選手情報が選択される（ステップＳ１１）。
【００６２】
図７は、選手を表示する画像を選択するための対象物画像情報が表示された表示部１３５を示す。
【００６３】
図７に示すように表示部１３５には、選手を選択するためのウインドウ、及び対象物画像情報であるその選手を表示する画像を選択するためのウインドウとその選手を表示するときに付ける背番号を選択するためのウインドウとが表示される。
【００６４】
選手を選択するためのウインドウに羅列される選手情報は、ステップＳ１０にて格納された情報である。
【００６５】
それぞれのウインドウにて、カーソルや矢印を使用して選択したい項目が選択される。図７に示した例では、選手２０３−１の選手の表示画像に、アニメのキャラクターが選択され、背番号は「３」が選択されている。その後、決定キーを選択すれば選手２０３−１の表示に関する設定は完了する。また、一部の選手を表示したくない場合は、表示したくない選手を選択後、非表示キーを選択すれば、その選手は表示されない。
【００６６】
同様に、選手２０３−２〜２０３−ｍについても表示画像の選択が行われる。
【００６７】
このように、設定された選手を表示するための画像情報は各選手ごとに指定され、記憶部１３２に格納される。
【００６８】
なお、図７に示した表示画像を選択するウインドウには、選手の似顔絵以外にアニメのキャラクターが１つだけ表示されているが、多数のアニメのキャラクターが予めダウンロードされて表示され、その中からの選択が可能となっているものであっても良い。
【００６９】
また、図７に示すように、背番号を指定し表示させることにより、選手の表示画像は単なる円形の簡単な記号等であっても選手の識別は可能になる。
【００７０】
そして、サッカーの試合が開始されると、選手２０３−１〜２０３−ｍにそれぞれ装着されたＩＣタグ２０４−１〜２０４−ｍ、及びボール２０５に付けられたＩＣタグ２０６が競技フィールド２０１に埋め込まれたアンテナ１４２−１〜１４２−ｎを介してＩＣタグリーダ１４１によって検出され、検出されたＩＣタグ２０４−１〜２０４−ｍ，２０６に書き込まれた情報がＩＣタグリーダ１４１によってアンテナ１４２−１〜１４２−ｎを介して読み出され、読み出された情報がＩＣタグリーダ１４１から送信され、センサ情報受信部１２１にて受信される（ステップＳ１２）。
【００７１】
ここで、ＩＣタグ２０４−１〜２０４−ｍ，２０６に書き込まれた情報とは、ＩＣタグ２０４−１〜２０４−ｍ，２０６をそれぞれ識別できる固有の識別情報であり、固有の番号であっても良い。また、それらの情報がどのアンテナ１４２−１〜１４２−ｎを介してＩＣタグリーダ１４１によって読み取られたかについては、アンテナ１４２−１〜１４２−ｎが固有に有する識別情報がＩＣタグ２０４−１〜２０４−ｍ，２０６の識別情報とともにＩＣタグリーダ１４１からセンサ情報受信部１２１へ送信されることにより、センサ情報受信部１２１にて識別可能である。
【００７２】
その後、センサ情報受信部１２１にて受信された情報と、情報データベース１２３に書き込まれたデータとに基づいて、配信データが配信データ生成部１２４にて生成される（ステップＳ１３）。
【００７３】
図８は、配信データ生成部１２４にて生成される配信データの一構成例である。
【００７４】
図８に示すように配信データ４０１は、当該配信データが配信される携帯通信端末１０３の宛先情報と、対象物情報と、位置情報とから構成されている。
【００７５】
例えば、センサ情報受信部１２１にて受信された情報に、アンテナ１４２−２を介してＩＣタグリーダ１４１によって読み取られたＩＣタグ２０４−１に書き込まれた情報が存在する場合、図５に示した情報データベース１２３に格納されているフィールド情報１２３１に基づいて、アンテナ１４２−２はＡ−２の位置に埋め込まれているものであると判断され、また、情報データベース１２３に格納されている競技者情報１２３２に基づいて、ＩＣタグ２０４−１は選手２０３−１に装着されているものであると判断される。
【００７６】
その結果、選手２０３−１は競技フィールド２０１のＡ−２の位置に存在することが判明し、選手とその選手がいる位置との対応付けデータである配信データが生成される。他の選手２０３−２〜２０３−ｍ、及びボール２０５についても同様に配信データが生成される。
【００７７】
このとき、音声情報受信部１２２にて受信された音声情報が合成されても良い。音声情報については、競技場に設置されたマイク１０５によって拾われた音声が、画像配信サーバ１０２へ送信され、画像配信サーバ１０２の音声情報受信部１２２にて受信されたものとなる。
【００７８】
生成された配信データが、画像配信サーバ１０２からインターネット１０１を介して携帯通信端末１０３へ送信されると（ステップＳ１４）、当該配信データは携帯通信端末１０３の送受信部１３１にて受信される（ステップＳ１５）。
【００７９】
ここで、配信データが画像配信サーバ１０２からインターネット１０１を介して携帯通信端末１０３へ配信される時間間隔は、特に限定しない。配信時間間隔を短くすればそれだけスムーズな動画が配信できるが、インターネット１０１上の配信データ量が増えてしまい、それに対して、配信時間間隔を長くすればインターネット上の配信データ量が減るが、スムーズな動画表示が実現できないのは言うまでもない。そのため、それらを考慮した配信時間間隔を任意で設定できるようにしておくと良い。
【００８０】
送受信部１３１にて受信された配信データと、記憶部１３２に格納されている情報とに基づいて画像処理部１３３にて画像データが生成される（ステップＳ１６）。
【００８１】
図９は、図１に示した画像処理部１３３において生成される画像データの各要素を示す図である。
【００８２】
図９に示すように画像処理部１３３において生成される画像データの各要素は、画像配信サーバ１０２から送信された配信データに含まれる位置情報「Ａ−２」と、同じく画像配信サーバ１０２から送信された配信データに含まれる対象物情報「２０３−１」と、記憶部１３２に予め格納されている競技場情報と、選手を表示する選手表示画像と、競技場の固定画像とが含まれている。
【００８３】
競技場情報は、図３にて説明したように、競技フィールド２０１を複数のエリアに分けて座標として表したものである。例えば、受信された配信データが選手２０３−１が競技フィールド２０１のＡ−２にいるという情報である場合、Ａ−２という位置が競技フィールド２０１のどの位置にあたるのかという情報である。これにより選手２０３−１の画像が競技場のどの位置に表示されるのかが決定される。
【００８４】
表示される選手の画像は図７にて説明したように、対象物情報が選手２０３−１である選手の表示画像はアニメのキャラクターに予め設定されて記憶部１３２に格納されているため、対象物表示画像は記憶部１３２に格納されているアニメのキャラクターになり、背番号は「３」となる。
【００８５】
このように、他の選手２０３−２〜２０３−ｍ、及びボール２０５についても、記憶部１３２に予め格納された情報に基づいて、表示する位置と対象物表示画像が決定される。
【００８６】
上述した処理によって得られた画像データに、記憶部１３２に予め格納されている観客スタンドの背景や競技フィールド２０１自体の固定画像が合成され、合成された画像データが操作部１３４の操作によって表示部１３５にて表示される（ステップＳ１７）。操作部１３４では、表示部１３５に表示される画像データの表示角度やクローズアップ等の操作が可能となっている。
【００８７】
図１０は、図１に示した表示部１３５に表示された画面の一例を示す図である。
【００８８】
図１０に示すように表示部１３５には、サッカーのラインや地面、コーナーの旗等の固定情報は予め格納されている固定画像情報であり、アニメのキャラクター及びボールは、画像配信サーバから送信された配信データに基づいた位置で予め設定された対象物表示画像であり、それらが合成されて表示されている。
【００８９】
表示される画面の移動やクローズアップについては、表示部１３５の下方に表示される矢印やアイコンをカーソルで指示することにより、可能となっている。また、試合中に選手の対象物表示画像等を変更したい場合に、現在の設定が変更できるように、表示部１３５に機能ボタンを表示させておき、その機能ボタンをカーソルによって押下することにより変更可能としても良い。
【００９０】
このように、選手２０３−１〜２０３−ｍ及びボール２０５の移動の情報のみが配信され、携帯通信端末１０３の小さな表示画面では表示されても認識し辛い細かな動作については配信されないため、携帯通信端末１０３に必要な最低限の画面表示となり、余分なデータの送信によるネットワーク上の帯域の使用を抑えることができる。
【００９１】
また、他の実施の形態として、競馬場で行われているレースの動画が携帯通信端末１０３に配信される場合を例に挙げる。
【００９２】
図１１は、配信される競馬が行われる競馬場の競技フィールドに取り付けられたＩＣタグリーダと、馬に取り付けられたＩＣタグを示す図である。
【００９３】
図１１に示すように、競技フィールド５０１には、馬が疾走するトラックの内側の柵に等間隔でアンテナ５０２−１〜５０２−ｘが取り付けられている。取り付けられているアンテナ５０２−１〜５０２−ｘは、ＩＣタグリーダ（不図示）に接続されており、ＩＣタグリーダは図１に示したセンサ情報受信部１２１に接続されている。また、馬５０３−１〜５０３−ｙにはＩＣタグ５０４−１〜５０４−ｙがそれぞれ取り付けられている。
【００９４】
配信データの配信方法については、上述したサッカーの試合の場合と同様である。
【００９５】
また、サッカーの試合の場合と同様に、表示部１３５に表示される馬は、実際に競技フィールド５０１を疾走している馬５０３−１〜５０３−ｙが表示される必要は無く、記憶部１３２に予め格納されたアニメの馬の絵等が表示されるものであっても良い。この場合、アニメの馬の絵等を、情報データベース１２３や他のサイトから記憶部１３２に予めダウンロードしておく必要がある。記憶部１３２にダウンロードされたアニメの馬の絵が操作部１３４によって選択されて表示部１３５に表示されても良い。
【００９６】
図１１に示した例では、等間隔に設置されたアンテナ５０２−１〜５０２−ｘを介してＩＣタグリーダによってＩＣタグ５０４−１〜５０４−ｙが読み取られることにより、各馬の速度が検出でき、検出された速度が表示される等の付加価値情報が得られる。
【００９７】
なお、上述して例では、センサとしてＩＣタグ及びＩＣタグリーダを使用した場合を例に挙げて説明したが、これに限らず赤外線センサ等、対象物の動きを認識できるものであれば良い。
【００９８】
また、上述した処理は、その機能を実現するためのプログラムを携帯通信端末１０３の記憶部１３２に格納し、この記録部１３２に格納されたプログラムが画像処理部１３３によって実行されるものであるため、機能の追加や変更が発生した場合であっても、ハードウェアを交換することなく、ソフトウェアのダウンロードのみで対応が可能となる。記憶部１３２は、携帯通信端末１０３が有するメモリであっても良いし、携帯通信端末１０３に装着でき、且つ移動可能な記憶媒体であっても良い。
【図面の簡単な説明】
【００９９】
【図１】本発明の動画提供システムの実施の一形態を示す図である。
【図２】ＩＣタグリーダが使用された場合の図１に示したセンサの構成を示す図である。
【図３】動画として配信されるサッカーの試合が行われる競技フィールドに取り付けられたアンテナと、選手及びボールに取り付けられたＩＣタグとを示す図である。
【図４】図３に示した競技フィールドにおけるアンテナを介してＩＣタグリーダがＩＣタグを検出できる範囲を示す図である。
【図５】図２に示したサッカーの試合の動画を配信する場合の図１に示した情報データベースの構成例を示す図である。
【図６】図２に示した競技フィールドにて図１に示した動画提供システムが適用された場合における動画提供方法を説明するためのシーケンス図である。
【図７】選手を表示する画像を選択するための対象物画像情報が表示された表示部を示す。
【図８】配信データ生成部にて生成される配信データの一構成例である。
【図９】図１に示した画像処理部において生成される画像データの各要素を示す図である。
【図１０】図１に示した表示部に表示された画面の一例を示す図である。
【図１１】配信される競馬が行われる競馬場の競技フィールドに取り付けられたＩＣタグリーダと、馬に取り付けられたＩＣタグを示す図である。
【符号の説明】
【０１００】
１０１    インターネット
１０２    画像配信サーバ
１０３    携帯通信端末
１０４    センサ
１０５    マイク
１２１    センサ情報受信部
１２２    音声情報受信部
１２３    情報データベース
１２４    配信データ生成部
１２５    認証部
１３１    送受信部
１３２    記憶部
１３３    画像処理部
１３４    操作部
１３５    表示部
１３６    音声出力部
１４１    ＩＣタグリーダ
１４２−１〜１４２−ｎ，５０２−１〜５０２−ｘ    アンテナ
２０１，５０１    競技フィールド
２０３−１〜２０３−ｍ    選手
２０４−１〜２０４−ｍ，２０６，５０４−１〜５０４−ｙ    ＩＣタグ
２０５    ボール
３０１−１〜３０１−２    検出範囲
４０１    配信データ
５０３−１〜５０３−ｙ    馬
１２３１    フィールド情報
１２３２    競技者情報
１２３３    固定画像情報
１２３４    ユーザ情報
【図１】
2007142925.tif 000003
【図２】
2007142925.tif 000004
【図３】
2007142925.tif 000005
【図４】
2007142925.tif 000006
【図５】
2007142925.tif 000007
【図６】
2007142925.tif 000008
【図７】
2007142925.tif 000009
【図８】
2007142925.tif 000010
【図９】
2007142925.tif 000011
【図１０】
2007142925.tif 000012
【図１１】
2007142925.tif 000013